(57)【特許請求の範囲】
【請求項１】
ロータの外周部に形成した複数の螺旋状の支持溝に清掃体を挿入固定し、内装した電動機によって回転する掃除機用床ノズルの回転ロータにおいて、該清掃体は該支持溝に挿入固定するプラスチック材などの可撓性材からなる基部と、一端を該基部に固着した清掃シートとからなり、該清掃シートは、織布または不織布からなる基布の片面に単繊維を密植した起毛布からなり、他端の自由端は、起毛面が外面になるように折り返して空間部を形成し、該空間部に重量体を装着したことを特徴とする掃除機用床ノズルの回転ロータ。
【発明の詳細な説明】
【０００１】
【発明の属する技術分野】
本発明は、掃除機のアタッチメントとして使用される床ノズルの、駆動装置によって回転される回転ロータに関するものである。
【０００２】
【従来の技術】
図１１から図１３は従来の掃除機用床ノズルを示し、図１１は上ケースを除いた斜視図、図１２は掃除機用床ノズルの回転ロータの斜視図であり、図１３は図１２の回転ロータに用いる起毛布ブレードの斜視図である。
【０００３】
図において、１は掃除機用の床ノズル本体で、この本体１の底面に有する横長の開口２と、この開口２に連通する中央通路３とこの中央通路３に一端が連通し、他端が掃除機本体（図示せず）に連通する吸気パイプ４より形成されている。５は開口２にその両端を軸受け６により回転自在に支持されて収納された回転ロータで、円柱状のロータ７と、このロータ７の外周で長手方向に螺旋状に設けられた布ブレード体８により形成されている。布ブレード体８は、ロータ７に挿入して固定される基部９と、この基部９に固定される、基布１０の片面に起毛面１１を有する布やプラスチック等より成る清掃シート１２より構成されている。１３は回転ロータ５を回転させる軸１４付きの電動機、１５は軸１４とロータ７の端部にそれぞれ有する歯車より成る減速体１６に巻回されたベルトで、電動機１３の回転を減速して回転ロータ５に伝達している。
【０００４】
このように構成した従来の掃除機用床ノズルの回転ロータを回転させて床面（フローリング）の掃除を行えば、基布の片面に有する起毛面が床面を擦り、起毛面は床面上の塵埃を拭き取ったり、床面をみがいたりする効果を発揮する。
【０００５】
【発明が解決しようとする課題】
上記のように構成した掃除機用床ノズルの回転ロータによれば、基布の端面は回転ロータの回転時に床面と常に接触するため、摩擦によってほつれ易くなってしまうという欠点を有していた。又、基布自体の腰が弱いため、充分な拭き効果やみがき効果が得られなかった。更に、起毛面は片面のみに存在するので実際に床面を擦る部分は、床ノズルの往復走行において往路が起毛面であれば復路は基布、往路が基布であれば復路は起毛面というように、往復両方向あるいは回転ロータの回転の正逆を常に起毛面にて掃除することができないという欠点を有していた。
【０００６】
本発明は床面がフローリングの場合に清掃効果が高く耐久性にも優れ、しかも、絨毯や畳の場合にも効率よく清掃できる掃除機用床ノズルの回転ロータを提供することを目的としている。
【０００７】
【課題を解決するための手段】
本発明の掃除機用床ノズルの回転ロータは、上記の目的を達成するため次の手段を採った。すなわち、ロータの外周部に形成した複数の螺旋状の支持溝に清掃体を挿入固定し、内装した電動機によって回転する掃除機用床ノズルの回転ロータにおいて、該清掃体は該支持溝に挿入固定するプラスチック材などの可撓性材からなる基部と、一端を該基部に固着した清掃シートとからなり、該清掃シートは、織布または不織布からなる基布の片面に単繊維を密植した起毛布からなり、他端の自由端は、起毛面が外面になるように折り返して空間部を形成し、該空間部に重量体を装着したことを特徴としている。
【０００９】
【発明の実施の形態】
実施の形態１
図１から図６に実施の形態１を示す。図において、２０は、床ノズルであり以下にその構成を説明する。２１は、底面に横長の開口２２を有する下ケース２３と、この下ケース２３を覆う上ケース２４より形成された本体ケースで、その中央には一端が開口２２に連通し、他端は本体ケース２１の後端まで延在する中央通路２５を有している。
【００１０】
２６は一端が中央通路２５に位置し、他端が電気掃除機（図示せず）に接続される吸気パイプ、２７は円柱状にアルミニウムやプラスチック材より形成されたロータ２８と、このロータ２８の外周部に複数に螺旋状に形成された支持溝２９に挿入固定された清掃体３０と、ロータ２８の両端に有する軸棒３１と、軸棒３１の近傍に設けられた歯車より成る減速体３２より構成された回転ロータであり、開口２２の長手方向の両端に固定された軸受け３３に軸棒３１が回転自在に支持され、清掃体３０の自由端３４はその回転時に開口２２より突出される。
【００１１】
清掃体３０は、ロータ２８に複数設けられている支持溝２９に挿入固定されるプラスチック材や軟質金属等の可撓性材より成る基部３５と、一端が基部３５に固着され、他端の自由端３４は折り返されてその端部Ａは溶着や接着剤あるいは縫製等により固着された織布や不織布等より成る清掃シート３６とにより構成されている。３７は回転ロータ２７を回転させる電動機で、軸３８には減速用の歯車より成る減速体３２Ａが固定されている。３９は減速体３２と減速体３２Ａに巻回された伝達用のベルトである。
【００１２】
このように構成された床ノズル２０は、掃除機本体（図示せず）の運転に伴い外気は開口２２より中央通路２５を通過し、吸気パイプ２６を介して前記掃除機本体に吸引される。
この時、電動機３７も回転し、その回転は減速体３２やベルト３９により回転ロータ２７に伝達される。回転ロータ２７に有する清掃体３０も当然回転し、その自由端３４は開口２２より突出して起毛面４１は清掃する床面に回転しながら衝突し、床面に附着した塵埃や散乱したゴミ等を開口２２内に直接かき上げたり吸引される外気流に塵埃を乗せる。この時、清掃体３０の自由端３４は折り返して溶着や縫製又は接着により二重に形成されていることで、清掃する床面との衝突に伴う端部Ａのほつれや摩耗の防止が図れる。
【００１３】
さらに、自由端３４は折り返しにより二重に形成されているために、重量も大となり回転に伴う遠心力も強力になり床面をたたく効果、とくにじゅうたんの場合にはじゅうたんの毛足の内部に有する塵埃を浮き上がらせる効果が大となり、清掃効果が向上する。なおも、床面に直接接触する自由端３４のみを二重に形成したので、回転時において清掃シート３６は、しなりやすくたたき効果が向上するとともに清掃シート３６全体を二重に形成するより軽く、かつコストの節約にもなるものである。なお、回転ロータ２７の回転を行う為の駆動装置を電動機３７で説明したが、電動送風機（図示せず）の吸引力によるファン等を用いてもよいものである。
【００１４】
実施の形態２
図６に実施の形態２を示す。３６Ａは織布や不織布より成る基布４０の片面に単繊維を密植した起毛布４１より成る清掃シートで、一端は基部３５に固着され、他端である自由端３４は起毛面４１が外面となるよう折り返されて、その端部Ａが固着されている。この為に、床面を床ノズル２０で清掃する際、床ノズル２０は床面上を前進したり後進したりするが、床面と接触する自由端３４は起毛面４１が常に接触する為に、床ノズル２０の往復時において、その清掃やみがき効果が向上するものである。
【００１５】
実施の形態３
図７から図９に実施の形態３を示す。図７において４２は自由端３４に形成された空間部であり、４３は空間部４２に収納された重量体である。この重量体４３は、回転ロータ２７の回転時にその遠心力を強力にして、清掃床面のたたき効果向上をねらったもので、その材質は問わず、ゴムやプラスチックあるいは金属等より適切な比重のものを選択すればよいものである。又、重量体４３は図８に示すように一体の棒状のものあるいは図９に示すように複数個に分割して、間隔を開けて装着してもよい。いずれも、特にじゅうたんで形成された床面において、毛足の内部に堆積した塵埃を強力にたたくことで塵埃を浮き上がらせて吸引できるので清掃効果が向上するものである。
【００１６】
なお、これまで述べた実施の形態１から実施の形態３における回転ロータ２７は、全て清掃体３０を設けたが、図１０に示すように、ゴムやプラスチック等の可撓性を有する材料で作られる軟質ブレード体４４を清掃シート３６や３６Ａと併用することで、より床面の清掃効果が向上するものである。
【００１７】
【発明の効果】
本発明の掃除機用床ノズルの回転ロータは、清掃体をロータの支持溝に挿入固定するプラスチック材などの可撓性材からなる基部と、一端を基部に固着した清掃シートとからなり、該清掃シートは、織布または不織布からなる基布の片面に単繊維を密植した起毛布からなり、他端の自由端は、起毛面が外面になるように折り返して空間部を形成し、該空間部に重量体を装着したので、清掃シートの端部と床面との摩擦によるほつれを防止でき、回転ロータの回転方向が正、逆いずれの場合も起毛面にて掃除でき、フローリングでの清掃効率がよくなる。また、自由端の腰が強くなるばかりでなく、回転ロータを回転させたときの遠心力が大きく、床面を叩く力が大きくなり、絨毯や畳の場合には塵埃を十分に浮き上がらせるので、より清掃効率が高まる。
【図面の簡単な説明】
【図１】 本発明の掃除機用床ノズルの回転ロータの実施の形態１を示す横断面図である。
【図２】 同、図１の上ケースを除いた斜視図である。
【図３】 同、回転ロータの斜視図である。
【図４】 同、図３の断面図である。
【図５】 同、清掃体の斜視図である。
【図６】 本発明の実施の形態２に用いる清掃体の斜視図である。
【図７】 本発明の実施の形態３に用いる清掃体の断面図である。
【図８】 同、図７の斜視図である。
【図９】 同、実施の形態３のその他の実施例を示す斜視図である。
【図１０】 本発明のその他の実施例を示す回転ロータの斜視図である。
【図１１】 従来の床ノズルの上ケースを除いた斜視図である。
【図１２】 従来の回転ロータの斜視図である。
【図１３】 従来の布ブレード体の斜視図である。
【符号の説明】
８  布ブレード体
１０  基布
１１  起毛面
１２  清掃シート
２７  回転ロータ
２８  ロータ
２９  支持溝
３０  清掃体
３４  自由端
３５  基部
３６、３６Ａ  清掃シート
４０  基布
４１  起毛面
４２  空間部
４３  重量体
４４  軟質ブレード体
Ａ  端部
【図１】
0003940199.tif 000002
【図２】
0003940199.tif 000003
【図３】
0003940199.tif 000004
【図４】
0003940199.tif 000005
【図５】
0003940199.tif 000006
【図６】
0003940199.tif 000007
【図７】
0003940199.tif 000008
【図８】
0003940199.tif 000009
【図９】
0003940199.tif 000010
【図１０】
0003940199.tif 000011
【図１１】
0003940199.tif 000012
【図１２】
0003940199.tif 000013
【図１３】
0003940199.tif 000014